(57)【要約】【課題】背もたれ部及び足載せ部の回動角度を簡単に調整でき、製造コストも低減できるリクライニングシートを提供する。【解決手段】このリクライニングシート１０は、基台部１と、座部２０と、背もたれ部３０と、足載せ部４０と、背もたれ部３０及び足載せ部４０に回動可能に連結されたリンク部材５０とを有している。座部２０の裏面には筒体６０が配設され、これにスライドバー７０がスライド可能に配設されている。スライドバー７０は、リンク部材５０と共通の支軸５２により足載せ部４０に連結されている。背もたれ部３０を倒すと、背もたれ部３０が第１支軸３６を中心に回動し、それに伴って４節リンクを構成する各部材をそれぞれの支軸を中心に回動させ、それに伴ってスライドバー７０が筒体６０内を摺動するため、その間の摩擦力により４節リンクの動きが規制される。【選択図】図２
2009045342.tif 000002
【特許請求の範囲】
【請求項１】
床面に設置される基台部と、
この基台部に対して第１支軸を中心にして回動可能に連結された背もたれ部と、
この背もたれ部に設けた前記第１支軸よりも下方に設けた第２支軸を介して後端部を回動可能に連結された座部と、
この座部の前端部に第３支軸を介して基端部を回動可能に連結された足載せ部と、
前記背もたれ部の下端部に第４支軸を介して後端部を連結され、前記足載せ部に第５支軸を介して前端部を連結されたリンク部材とを備え、
前記背もたれ部と座部と足載せ部とリンク部材とで構成される４節リンクのいずれかの箇所に一端を回動可能に連結され、他端部が前記基台部に固定された筒体に挿通されて、前記４節リンクの移動に伴ってスライドするスライドバーとを有していることを特徴とするリクライニングシート。
【請求項２】
前記スライドバーは、前記第５支軸を介してその一端を回動可能に連結されている請求項１記載のリクライニングシート。
【請求項３】
前記スライドバーは、前記リンク部材の両側に一対設けられており、前記第５支軸は、シート幅方向に延出されていて、その中央に前記リンク部材の前端部が支持され、その両側に前記スライドバーの一端が支持されている請求項２記載のリクライニングシート。
【請求項４】
前記リンク部材は、角形のパイプ部材からなる請求項１〜３のいずれか１つに記載のリクライニングシート。
【請求項５】
前記筒体の内周又は前記スライドバーの外周に、摩擦調整部材が介装されている請求項１〜４のいずれか１つに記載のリクライニングシート。
【請求項６】
前記摩擦調整部材は、ポリアセタール、ＡＢＳ、ポリエチレンテレフタートから選ばれた樹脂からなる請求項１〜５のいずれか１つに記載のリクライニングシート。
【発明の詳細な説明】
【技術分野】
【０００１】
本発明は、背もたれ部及び足載せ部の角度を調整することができるリクライニングシートに関する。
【背景技術】
【０００２】
例えば、椅子や電動マッサージ装置等においては、使用者の好みに応じて背もたれ部（バックシート）や足載せ部（レッグレスト）の角度を調整することができる、いわゆるリクライニング機構を設けたものが広く用いられている。
【０００３】
下記特許文献１には、座部の前端及び後端にそれぞれ上下回動可能に連結されたレッグレスト及び背もたれと、背もたれの下方部に回動自在に連結されると共にレッグレストに連結される第１のリンク部材と、第１のリンク部材に回動自在に連結されると共にベースフレームに回動自在に連結される第２のリンク部材とを備えたリクライニングチェアが開示されている。また、第１のリンク部材と第２のリンク部材の連結部には、ロック手段が設けられていて、第１，第２のリンク部材を固定できるようになっている。
【０００４】
そして、ロック手段を解除して第１，第２のリンク部材を回動可能状態にした後、背もたれを倒すか或いは引き起こすと、第１，第２のリンク部材を介してレッグレストが上方又は下方に回動し、再度ロック手段によりロックすることにより、背もたれ及びレッグレストを所望の角度に調整することができる。
【０００５】
また、下記特許文献２には、座部体の前端及び後端にそれぞれ上下回動可能に連結された足載体及び背部体と、背部体を所定の回動角度で保持する駆動手段と、背部体の回動に連動して足載体を上下回動させるリンク機構とを備えたリクライニング椅子が開示されている。また、前記駆動手段は、モータ等からなる駆動原と、駆動原により進退駆動する駆動軸とを有している。
【０００６】
そして、駆動手段を駆動させて駆動軸が前方に引込まれると、背部体が後方に倒されると共にリンクを介して足載体が上方に持ち上げられ、一方、駆動軸が後方に押出されると、背部体が前方に引き上げられると共にリンクを介して足載体が下方に押し倒されるようになっている。
【特許文献１】特開２００４−２２９９２５号公報
【特許文献２】特開２００１−１９０３５３号公報
【発明の開示】
【発明が解決しようとする課題】
【０００７】
上記特許文献１のリクライニングチェアの場合、ロック手段により第１，第２のリンク部材をロックしたり解除したりする操作を、背もたれ及びレッグレストの回動角度を調整するたびに行う必要があり、煩雑で手間がかかっていた。また、上記特許文献２のリクライニング椅子の場合、別途、駆動手段を設けなければならず、構造が複雑となり製造コストが高くなるという問題があった。
【０００８】
したがって、本発明の目的は、背もたれ部及び足載せ部の回動角度を、簡単に調整することができると共に、製造コストも低減できるリクライニングシートを提供することにある。
【課題を解決するための手段】
【０００９】
上記目的を達成するため、本発明のリクライニングシートは、床面に設置される基台部と、この基台部に対して第１支軸を中心にして回動可能に連結された背もたれ部と、この背もたれ部に設けた前記第１支軸よりも下方に設けた第２支軸を介して後端部を回動可能に連結された座部と、この座部の前端部に第３支軸を介して基端部を回動可能に連結された足載せ部と、前記背もたれ部の下端部に第４支軸を介して後端部を連結され、前記足載せ部に第５支軸を介して前端部を連結されたリンク部材とを備え、前記背もたれ部と座部と足載せ部とリンク部材とで構成される４節リンクのいずれかの箇所に一端を回動可能に連結され、他端部が前記基台部に固定された筒体に挿通されて、前記４節リンクの移動に伴ってスライドするスライドバーとを有していることを特徴とする。
【００１０】
本発明によれば、背もたれ部に後方に押す力を加えると、背もたれ部が第１支軸を中心に回動し、それに伴って４節リンクを構成する各部材をそれぞれの支軸を中心に回動させることができる。その結果、背もたれ部の角度変化と、足載せ部の角度変化とが連動し、例えば背もたれ部を寝かすと、足載せ部を持ち上げることができ、背もたれ部を起こしたときには、足載せ部を下降させることができるので、背もたれ部の角度に応じて使用者の姿勢に適合するように足載せ部も回動させることができる。
【００１１】
また、４節リンクの動きに伴って、スライドバーが基台部に固定された筒体内を摺動するため、スライドバーと筒体との間の摩擦力により、４節リンクの動きを適度に規制する角度保持効果がもたらされる。
【００１２】
したがって、使用者は、背もたれ部に荷重を加えるか、座部の後端側に荷重を加えることにより、背もたれ部及び足載せ部の回動角度を所定の範囲で自由に調整できると共に、背もたれ部又は座部への負荷をやめれば、背もたれ部及び足載せ部の回動角度をその状態に保持することができるので、座ったままの簡単な操作で回動角度を任意に調整可能となり、使い勝手が極めて良い。
【００１３】
また、ガスシリンダやモータ等の駆動手段が不要で、使用者の力加減だけで背もたれ部及び足載せ部の角度を調整可能なので、リクライニングシートの構造が簡単となり、製造コストを低減させることができる。
【００１４】
本発明においては、前記スライドバーは、前記第５支軸を介してその一端を回動可能に連結されていることが好ましい。これによれば、外部に大きく露出することなく、スライドバーの移動量を大きくとることができ、筒体とスライドバーとの間の適度な摩擦力による角度保持力を効果的に付与して、背もたれ部や足載せ部をその角度に保持させることができる。
【００１５】
また、前記スライドバーは、前記リンク部材の両側に一対設けられており、前記第５支軸は、シート幅方向に延出されていて、その中央に前記リンク部材の前端部が支持され、その両側に前記スライドバーの一端が支持されていることが好ましい。これによれば、２本のスライドバーと筒体との摩擦力によって、４節リンクの角度保持効果を高めることができと共に、左右平均した保持力を得ることができる。
【００１６】
更に、前記リンク部材は、角形のパイプ部材からなることが好ましい。これによれば、リンク部材の剛性を向上させることができると共に、リンク部材が回動するときの横ぶれ等を防止できる。
【００１７】
更にまた、前記筒体の内周又は前記スライドバーの外周に、摩擦調整部材が介装されていることが好ましい。これによれば、筒体とスライドバーとが摩擦調整部材を介して接触するので、スライドバーの摺動に対する耐久性を高めることができると共に、よりスムーズなスライドを確保でき、更に、筒体又はスライドバーに適度な摩擦力を付与することが可能となる。
【００１８】
更にまた、前記摩擦調整部材は、ポリアセタール、ＡＢＳ、ポリエチレンテレフタートから選ばれた樹脂からなることが好ましい。これによれば、強度及び耐久性に優れた樹脂を用いることができる。
【発明の効果】
【００１９】
本発明のリクライニングシートによれば、背もたれ部に荷重を加えるか、座部の後端側に荷重を加えることにより、背もたれ部及び足載せ部の回動角度を所定の範囲で自由に調整できると共に、背もたれ部又は座部への負荷をやめれば、背もたれ部及び足載せ部の回動角度をその位置に保持することができるので、使い勝手が向上し、また、モータ等の駆動手段が不用なので構造を簡単にでき、製造コストを低減させる。
【発明を実施するための最良の形態】
【００２０】
以下、図面を参照して、本発明の一実施形態について説明する。
【００２１】
本発明のリクライニングシート１０は、例えば、図１に示すようなチェアに適用することができる。図２を併せて参照すると、この実施形態におけるリクライニングシート１０は、床面に設置される左右一対の基台部１，１と、この基台部１，１に対して第１支軸３６を中心にして回動可能に連結された背もたれ部３０と、この背もたれ部３０の第１支軸３６よりも下方に設けた第２支軸３７を介して後端部を回動可能に連結された座部２０と、この座部２０の前端部に第３支軸４４を介して基端部を回動可能に連結された足載せ部４０と、背もたれ部３０の下端部に第４支軸５１を介して後端部を連結され、足載せ部４０に第５支軸５２を介して前端部を連結されたリンク部材５０とを備えている。なお、基台部１，１の後方上側には、円弧状をなした肘掛け部３が取付けられている。
【００２２】
座部２０は、所定間隔で平行に配設された一対の側部フレーム２１，２１を有しており、その前方が前フレーム２２により連結されている。各側部フレーム２１，２１の間には、Ｓ字状に連続した形状をなすバネ体２３が複数個架設され、この上にクッション体（図示せず）が載置されている。そして、側部フレーム２１の後端に第２支軸３７を介して背もたれ部３０が回動可能に連結される。このときの背もたれ部３０に対する座部２０の回動中心をＯ２とする（図２及び図９参照）。一方、側部フレーム２１の前端には、第３支軸４４を介して足載せ部４０が回動可能に連結される。なお、クッション体としては、特に限定されるものではないが、軟質ポリウレタンフォームと、低反発特性を有するポリウレタンフォームとを積層させたものを用いると、座り心地が向上すると共に、長時間の着座でも違和感がなく好適である。
【００２３】
背もたれ部３０は、座部２０の側部フレーム２１，２１よりも、広い間隔をあけて平行に配設された一対の側部フレーム３１，３１と、該側部フレーム３１，３１の上端を連結する上部フレーム３２と、側部フレーム３１，３１の下端を連結する下部フレーム３３とを有している。各側部フレーム３１，３１の間には、Ｓ字状に連続した形状をなすバネ体３４が複数個架設され、この上に軟質ポリウレタンフォームと低反発特性を有するポリウレタンフォームとを積層させた、座部２０と同様の材質からなるクッション体（図示せず）が載置されている。
【００２４】
各側部フレーム３１には、その下端から所定距離をあけてやや上方に第２支軸３７が挿通される支持孔（図示せず）が設けられ、更に、該支持孔から所定距離をあけてその上方に、第１支軸３６が側部フレーム３１の両側から突設されている。この第１支軸３６が一対の基台部１，１の内側に設けられた軸受け（図示せず）に挿入されて、背もたれ部３０が一対の基台部１，１に回動支持され、これによって、第１支軸３６を中心にして背もたれ部３０が回動可能となる。このときの基台部１に対する背もたれ部３０の回動中心をＯ１とする（図９参照）。
【００２５】
一方、各側部フレーム３１，３１を、前記座部２０の各側部フレーム２１，２１の外側に配設し、第２支軸３７，３７を図示しない各支持孔に挿通支持することにより、座部２０と背もたれ部３０とが回動可能に連結されるようになっている。
【００２６】
また、下部フレーム３３の軸方向中央の前端面（後述する足載せ部４０側の端面）からは、所定間隔をあけて平行に配設された一対の支持片３８，３８が斜め下方に向けて突設されている。この支持片３８，３８に、後述するリンク部材５０の後端が第４支軸５１を介して回動可能に連結される。
【００２７】
足載せ部４０は、図１に示すように、円形パイプを略Ｕ字状に屈曲されてなる本体フレーム４１を有しており、その両端を座部２０の一対の側部フレーム２１，２１の前端内側に配設して、第３支軸４４を挿通支持することにより、座部２０の前端に回動可能に連結される。このときの座部２０に対する足載せ部４０の回動中心をＯ３とする（図２及び図９参照）。なお、本体フレーム４１上には、座部２０及び背もたれ部３０と同様に、軟質ポリウレタンフォームと低反発特性を有するポリウレタンフォームとを積層させたクッション体が載置されている。
【００２８】
また、本体フレーム４１の両端からやや離れた箇所には、支持フレーム４２が幅方向に沿って架設されており、この支持フレーム４２の裏側の中間部分には、一対の支持片４３，４３が所定間隔をあけて平行に垂設されている。この支持片４３，４３に、後述するリンク部材５０の前端が第５支軸５２を介して回動可能に連結される。
【００２９】
上述の背もたれ部３０及び足載せ部４０は、リンク部材５０によって連結される。このリンク部材５０は、図１に示すように角形をなしたパイプ部材からなっている。そして、その後端が支持片３８，３８の内側に配設されて、第４支軸５１が挿入されることにより背もたれ部３０に回動可能に連結される。一方、リンク部材５０の前端も、支持片４３，４３の内側に配設されて第５支軸５２が挿入されることにより、足載せ部４０に回動可能に連結される（図３参照）。このときの背もたれ部３０に対するリンク部材５０の回動中心をＯ４とし、足載せ部４０に対するリンク部材５０の回動中心をＯ５とする（図２及び図９参照）。
【００３０】
以上説明したように、背もたれ部３０、座部２０、足載せ部４０、リンク部材５０のそれぞれは、各支軸３７，４４，５１，５２により連結されているので、４節リンクとして機能するようになる。
【００３１】
そして、本発明のリクライニングシート１０においては、座部２０の裏面側に筒体６０が設けられていて、更に筒体６０内に収容されるスライドバー７０を備えている（図３〜５参照）。この実施形態の場合、リンク部材５０の左右両側に筒体６０とスライドバー７０とがそれぞれ設けられている。
【００３２】
図４を併せて参照すると、筒体６０は円形の筒状をなしていて、その内周に摩擦調整部材６１が圧着されて取付けられている。この筒体６０は、図３，４に示す取付け部材６５によって、一対の基台部１，１に固定されている。取付け部材６５は、座部２０の幅方向に延設した支持ロッド６６と、該支持ロッド６６の両側に固設された取付け板６７，６７と、支持ロッド６６の後方から斜め上方に突設した固定片６８とを備えており、前記取付け板６７を介して基台部１の内側に固定される。また、前記筒体６０は固定片６８を介して、その前端を斜め上方に向けて支持ロッド６６に固定されている。より詳しくは、設置面Ｓ（図２参照）に対して２０〜４０°の角度θで傾けられて、筒体６０が支持ロッド６６に取付けられている。また、摩擦調整部材６１は、ポリアセタール、ＡＢＳ、ポリエチレンテレフタート等の樹脂が用いられる。
【００３３】
上記筒体６０内に収容されるスライドバー７０は、その先端部に挿通孔７１が設けられていて、この挿通孔７１にリンク部材５０を回動可能に支持する支軸５２が挿入され（図３参照）、これにより足載せ部４０に回動可能に連結されている。このように、リンク部材５０と共通の支軸５２により、スライドバー７０が連結されているため、リンク部材５０の回動動作に連動して、スライドバー７０が筒体６０内をスライドするようになっている。また、スライドバー７０の基端部には、半径方向外方に拡径したフランジ状をなしたストッパ７２が設けられていて、スライドバー７０のスライド幅が規制されている。
【００３４】
次に、上記構成からなるリクライニングシート１０の作用について、図５及び図６を参照して説明する。
【００３５】
このリクライニングシート１０は、上述したように、背もたれ部３０、座部２０、足載せ部４０、リンク部材５０が各支軸３７，４４，５１，５２により連結されて、４節リンクをなしているので、例えば、背もたれ部３０に後方に押す力Ｆ１を加えると（図５参照）、背もたれ部３０が第１支軸３６を中心に回動し、それに伴って４節リンクを構成する各部材をそれぞれの支軸を中心に回動させることができる。その結果、背もたれ部３０の角度変化と、足載せ部４０の角度変化とが連動して、背もたれ部３０を寝かすと、足載せ部４０を持ち上げることができ、背もたれ部３０を起こしたときには、足載せ部４０を下降させることができるので、背もたれ部３０の角度に応じて使用者の姿勢に適合するように足載せ部４０も回動させることができる。
【００３６】
より具体的には、図５に示す着座した状態から、背もたれ部３０を寝かせて横たわりたい場合には、背もたれ部３０を押し倒す力Ｆ１を加えればよい。こうすると、背もたれ部３０が第１支軸３６を中心として下方に回動すると共に、座部２０が前方に押し出される。更に、背もたれ部３０に連動して、リンク部材５０の後端部が座部２０の裏面に近接する方向に持ち上げられ、スライドバー７０が筒体６０の前方に突き出されるようにスライドするので、足載せ部４０を上方に回動させることができる。
【００３７】
一方、図６に示す状態から、背もたれ部３０を起こして着座した状態に戻したい場合には、使用者は自分の背を引き起こして、座部２０の後端側に深く腰掛けるようにすればよい。こうすると、使用者の臀部より座部２０の後端側に力Ｆ２が作用して、座部２０が若干下方に沈み込んで後方に引き込まれると共に、第１支軸３６を中心として背もたれ部３０が上方に回動する。更に、背もたれ部２０に連動して、リンク部材５０の後端側が座部２０の裏面から離れる方向に押し下げられ、スライドバー７０が筒体６０の後方に引き込まれるようにスライドするので、足載せ部４０を下方に回動させることができる。
【００３８】
また、４節リンクの動きに伴って、スライドバー７０が基台部１に固定された筒体６０内を摺動するため、スライドバー７０と筒体６０との間の摩擦力により（この実施形態の場合、筒体６０内周に装着された摩擦調整部材６１とスライドバー７０との摩擦力）、４節リンクの動きが規制されて、背もたれ部３０及び足載せ部４０の回動角度が保持されるようになっている。
【００３９】
したがって、このリクライニングシート１０によれば、使用者は、背もたれ部３０に荷重を加えるか、座部２０の後端側に荷重を加えることにより、背もたれ部３０及び足載せ部４０の回動角度を所定の範囲で自由に調整することができると共に、背もたれ部３０又は座部２０への負荷をやめれば、背もたれ部３０及び足載せ部４０の回動角度をその位置で不用意に動かないように保持することができる。すなわち、座ったままの状態で力の掛け具合を調整することにより、簡単に背もたれ部３０及び足載せ部４０の回動角度を任意に調整することができるので、使い勝手が極めて良い。
【００４０】
また、ガスシリンダやモータ等の駆動手段が不用で、使用者の力加減だけで背もたれ部３０及び足載せ部４０の角度を調整可能なので、リクライニングシート１０の構造を簡単にすることができ、製造コストの低減を図れる。
【００４１】
更に、背もたれ部３０の回動に連動して、足載せ部４０が回動するようになっているので、背もたれ部３０と足載せ部４０とを個々に調整することなく、常に使用者の姿勢に合わせた角度にすることができる。
【００４２】
この実施形態の場合、スライドバー７０は、第５支軸５２を介して先端部を回動可能に連結されている。これによれば、外部に大きく露出することなく、スライドバー７０の移動量を大きくとることができ、筒体６０とスライドバー７０との間の適度な摩擦力による角度保持力を効果的に付与して、背もたれ部３０や足載せ部４０をその角度に保持させることができる。
【００４３】
また、この実施形態の場合、スライドバー７０は、リンク部材５０の両側に一対設けられており、第５支軸５２は、シート幅方向に延出されていて、その中央にリンク部材５０の前端部が支持され、その両側にスライドバー７０の一端が支持されている。これによれば、２本のスライドバー７０と筒体６０との摩擦力によって、４節リンクの角度保持効果を高めることができと共に、左右平均した保持力を得ることができる。
【００４４】
更に、この実施形態の場合、リンク部材５０は、角形のパイプ部材からなっている。これによれば、リンク部材５０の剛性を向上させることができると共に、リンク部材５０が回動するときの横ぶれ等を防止できる。
【００４５】
また、この実施形態の場合、筒体６０の内周には摩擦調整部材６１が介装されている。これによれば、筒体６０とスライドバー７０とが摩擦調整部材６１を介して接触するので、スライドバー７０の摺動に対する耐久性を高めることができると共に、よりスムーズなスライドを確保でき、更に、スライドバー７０に適度な摩擦力を付与することが可能となる。
【００４６】
摩擦調整部材６１は、ポリアセタール、ＡＢＳ、ポリエチレンテレフタートから選ばれた樹脂からなることが好ましく、これによれば、強度及び耐久性に優れた樹脂を用いることができる。なお、上記樹脂の中でも、ポリアセタールを採用することが好ましく、これを採用すると耐久力を向上させると共に、筒体６０及びスライドバー７０によくなじむため、スライドバー７０のスライド動作をより一層スムーズにさせる。
【００４７】
また、この実施形態におけるリクライニングシート１０は、チェアに適用したが、この態様に限定されるものではない。例えば、ソファー、ベッド、電動マッサージ装置、医療用器具等にも幅広く適用することができる。
【００４８】
更に、この実施形態においては、スライドバー７０の先端部を第５支軸５２を介して、リンク部材５０の前端に連結しているが、この態様に限定されるものではなく、例えば、足載せ部４０の下端部や、背もたれ部３０の下端部等にも連結することができる。
【００４９】
図７及び図８には、本発明のリクライニングシートの他の実施形態が示されている。なお、前記実施形態と実質的に同一部分には同符合を付してその説明を省略する。
【００５０】
この実施形態におけるリクライニングシート１０ａは、前記実施形態のリクライニングシート１０と比べて、背もたれ部３０の構造、及び、同背もたれ部３０とリンク部材５０との連結構造が異なっている。
【００５１】
すなわち、前記実施形態の背もたれ部３０を構成する一対の側部フレーム３１，３１が、ほぼ真っ直ぐに伸びているのに対して（図２参照）、この実施形態における背もたれ部３０を構成する一対の側部フレーム３１，３１は、その上方部分及び下方部分が所定角度で屈曲し形状をなしている。図７に示すように、この実施形態の各側部フレーム３１は、背もたれ部３０が起こされた状態において、使用者の背中に沿って伸びる背もたれフレーム３１ａと、該背もたれフレーム３１ａの上端から足載せ部４０側に所定角度で屈曲して、使用者の頭部をサポートする部分となる頭部フレーム３１ｂと、前記背もたれフレーム３１ａの下端（第１支軸３６により支持される位置）から前記頭部フレーム３１ｂとは反対側（すなわち、足載せ部４０に対して離反する方向）に所定角度で屈曲して、使用者の臀部に位置する臀部フレーム３１ｃとを有している。
【００５２】
また、前記実施形態では、一対の側部フレーム３１，３１の下方に連結された下部フレーム３３の軸方向中央の前端面から、一対の支持片３８，３８が斜め下方に向けて突設されている（図１参照）。これに対して、この実施形態のリクライニングシート１０ａでは、図７に示すように、一対の側部フレーム３１，３１の前記臀部フレーム３１ｃ，３１ｃの下端内側に連結された下部フレーム３３の軸方向中央の下端面から、一対の支持片３８ａ，３８ａが斜め下方に向けて突設されており、この支持片３８ａは前記臀部フレーム３１ｃと同様に、足載せ部４０から離反する方向に屈曲した形状をなしている。そして、この一対の支持片３８ａ，３８ａの内側に、リンク部材５０の後端が配置されて、第４支軸５１が挿通されることにより、リンク部材５０が背もたれ部３０に回動可能に連結されるようになっている。
【００５３】
また、一対の肘掛け部３ａ，３ａは、それぞれアーチ状をなして設置面Ｓに載置されており、同アーチ状をなす肘掛け部３ａ，３ａの高さ方向ほぼ中間であって、その前端部及び後端部には、長板状の取付けプレート６５ａ，６５ａがそれぞれ連結されており、各取付けプレート６５ａ，６５ａの外側に取付け板６７，６７及び固定片６８，６８がそれぞれ取付けられて、筒体６０，６０が所定角度で斜めに固定されている。また、各筒体６０にスライド可能に収容されるスライドバー７０の基端部（後端側）には、前記実施形態と同様に半径方向外方へ拡径したフランジ状のストッパ７２が設けられており、スライドバー７０のスライド幅が規制されている。更に、スライドバー７０の基端側には、図７中想像線で示すように、円筒状の調整スリーブ７３を装着させておいてもよく、これによればスライドバー７０のスライド幅をより幅広く調整することができる。
【００５４】
この実施形態においては、前記実施形態と同様に、図７に示す着座状態から、背もたれ部３０を押し倒すと、背もたれ部３０が第１支軸３６を中心として下方に回動すると共に、座部２０が前方に押し出され、それに連動して、リンク部材５０の後端部が座部２０の裏面に近接する方向に持ち上げられ、スライドバー７０が筒体６０の前方にスライドして、足載せ部４０が上方に回動して、図８に示す横たわった状態とすることができる。このとき、スライドバー７０と筒体６０との間の摩擦力によって、４節リンクの動きが規制されて、背もたれ部３０及び足載せ部４０の回動角度が保持されるようになっている。
【００５５】
そして、この実施形態においては、側部フレーム３１の臀部フレーム３１ｃを、足載せ部４０に対して離反する方向に屈曲させると共に、該臀部フレーム３１ｃから下部フレーム３３を介して突設される支持片３８ａを、同じく足載せ部４０から離反する方向に屈曲させた構造としたので、背もたれ部３０を倒したときに、それに連動して座部２０の裏面に近接するように持ち上げられるリンク部材５０の後端部が、座部２０の裏面に干渉することを防止することができる。その結果、前記実施形態と比べて、背もたれ部３０をより深く、座部２０に対してフラットに近くなるように倒すことができ、使用者の好みに応じて背もたれ部３０の角度をより広い範囲で調整することができる。
【００５６】
また、背もたれ部３０を倒して使用者が横たわった状態において、リンク部材５０の後端部が、座部２０の裏面に干渉せず、座部２０から出っ張った状態となることが防止されるので、使用者の臀部近傍における違和感をなくすことができ、寝心地を向上させることができる。更に、背もたれフレーム３１ａの上方に設けた頭部フレーム３１ｂにより、背もたれ部３０を起こしたとき又は倒したときに、使用者の頭部がサポートされると共に、背もたれフレーム３１ａの下方に設けた臀部フレーム３１ｃにより、背もたれ部３０を倒したときに、使用者の臀部がサポートされるようになっているので、使用者の座り心地や寝心地を向上させることができる。
【実施例】
【００５７】
図７及び図８に示すリクライニングシート１０の動作確認を行った。
【００５８】
各部の寸法を以下のように設定したリクライニングシート１０を製造した。
【００５９】
すなわち、図９に示すように、回動中心Ｏ２（背もたれ部３０に対する座部２０の回動中心）と回動中心Ｏ３（座部２０に対する足載せ部４０の回動中心）との距離をａとし、回動中心Ｏ１（基台部１に対する背もたれ部３０の回動中心）と回動中心Ｏ２との距離をｂとし、回動中心Ｏ２と回動中心Ｏ４（背もたれ部３０に対するリンク部材５０の回動中心）との距離をｃとし、回動中心Ｏ３と回動中心Ｏ５（足載せ部４０に対するリンク部材５０の回動中心）との距離をｄとし、回動中心Ｏ４と回動中心Ｏ５との距離をｅとした場合に、
ａを４６４ｍｍ、ｂを１２０ｍｍ、ｃを１７２ｍｍ、ｄを５０ｍｍ、ｅを３４５ｍｍとし、スライドバー７０の長さを３４５ｍｍとした。
【００６０】
そして、上記寸法で製造されたリクライニングシート１０に使用者が座り、背もたれ部３０を押し倒して横たわった状態とすると共に、その状態で座部２０の後端側に深く腰掛けて背もたれ部３０を引き起こす動作を繰り返した。すなわち、着座状態から背もたれ部３０が下方に回動後、再び着座状態に復帰するまでの動作を、リクライニング動作１回とし、このリクライニング動作を繰り返し行って動作確認を行った。
【００６１】
その結果、リクライニング動作を１００００回繰り返しても、問題なく動作することが確認できた。
【００６２】
また、図１０に示すように、着座したときの背もたれ部３０の設置面Ｓに対する回動角度θ１，倒したときの背もたたれ部３０の設置面Ｓに対する回動角度θ２を測定したところ、θ１が１１５°、θ２が１７０であって、背もたれ部３０は１１５〜１７０°の範囲で回動可能であって、更に同範囲で回動角度を保持することができる（但し、１５５〜１７０°を除く範囲）ことを確認できた。
【産業上の利用可能性】
【００６３】
本発明は、背もたれ部及び足載せ部の回動角度を調整可能なリクライニングシートして、利用することができる。
【図面の簡単な説明】
【００６４】
【図１】本発明のリクライニングシートの一実施形態を示す斜視図である。
【図２】同リクライニングシートを、図１のＡ−Ａ矢視線で切断したときの骨組み構造を示す断面図である。
【図３】同リクライニングシートの要部平面図である。
【図４】同リクライニングシートの要部断面図である。
【図５】同リクライニングシートの着座状態を示す説明図である。
【図６】同リクラインニグシートの背もたれ部を倒した状態を示す説明図である。
【図７】本発明のリクライニングシートの他の実施形態における、着座状態を示す説明図である。
【図８】同リクライニングシートの背もたれ部を倒した状態を示す説明図である。
【図９】リクライニングシートの各構造部材の連結状態を示す模式図である。
【図１０】リクライニングシートの背もたれ部の回動角度を示す模式図である。
【符号の説明】
【００６５】
１  基台部
１０，１０ａ  リクライニングシート
２０  座部
２１  側部フレーム
２２  前フレーム
２３  バネ体
３０  背もたれ部
３１  側部フレーム
３１ａ  背もたれフレーム
３１ｂ  頭部フレーム
３１ｃ  臀部フレーム
３２  上部フレーム
３３  下部フレーム
３４  バネ体
３６  第１支軸
３７  第２支軸
３８  支持片
４０  足載せ部
４１  本体フレーム
４２  支持フレーム
４３  支持片
４４  第３支軸
５０  リンク部材
５１  第４支軸
５２  第５支軸
６０  筒体
６１  摩擦調整部材
６５  取付け部材
６６  支持ロッド
６７  取付け板
６８  固定片
７０  スライドバー
７１  挿通孔
７２  ストッパ
【図１】
2009045342.tif 000003
【図２】
2009045342.tif 000004
【図３】
2009045342.tif 000005
【図４】
2009045342.tif 000006
【図５】
2009045342.tif 000007
【図６】
2009045342.tif 000008
【図７】
2009045342.tif 000009
【図８】
2009045342.tif 000010
【図９】
2009045342.tif 000011
【図１０】
2009045342.tif 000012